(57)【要約】【課題】高い信頼性の電力変換装置及びその制御方法を提供する。【解決手段】実施形態によれば、主回路部と電圧検出部と制御回路とを備えた電力変換装置が提供される。主回路部は、三相交流電力の交流電力系統に接続され、三相交流電力の電力変換を行う。電圧検出部は、第１及び第２検出系統を有し、交流電力系統の各相の電圧値を少なくとも２つ取得する。制御回路は、電圧検出部の取得した各電圧値を基に、主回路部の動作を制御する。制御回路は、第１及び第２検出系統の各検出結果を基に交流電力系統の零相分の発生を検出し、第１及び第２検出系統の双方で零相分が検出されていない場合に、正常と判定し、第１及び第２検出系統の双方で零相分が検出された場合に、１線地絡事故が発生したと判定し、第１及び第２検出系統の一方で零相分が検出された場合に、前記一方の検出系統の故障と判定する。【選択図】図１
2018007516.tif 000002
【特許請求の範囲】
【請求項１】
三相交流電力の交流電力系統に接続され、三相交流電力から別の電力への変換及び別の電力から三相交流電力への変換の少なくとも一方を行う主回路部と、
第１検出系統と第２検出系統とを有し、前記第１検出系統及び前記第２検出系統により、前記交流電力系統の各相の電圧値を少なくとも２つ取得する電圧検出部と、
前記電圧検出部の取得した各電圧値を基に、前記主回路部の動作を制御する制御回路と、
を備え、
前記制御回路は、前記第１検出系統の検出結果を基に前記交流電力系統の零相分の発生を検出するとともに、前記第２検出系統の検出結果を基に前記交流電力系統の零相分の発生を検出し、前記第１検出系統及び前記第２検出系統の双方で零相分の発生が検出されていない場合に、前記交流電力系統及び前記電圧検出部が正常であると判定し、前記第１検出系統及び前記第２検出系統の双方で零相分の発生が検出された場合に、前記交流電力系統において１線地絡事故が発生したと判定し、前記第１検出系統のみで零相分の発生が検出された場合に、前記第１検出系統の故障と判定し、前記第２検出系統のみで零相分の発生が検出された場合に、前記第２検出系統の故障と判定する電力変換装置。
【請求項２】
前記制御回路は、前記１線地絡事故の発生を判定した場合、系統事故時の運転条件で前記主回路部の運転を継続させる請求項１記載の電力変換装置。
【請求項３】
前記制御回路は、前記第１検出系統の故障を判定した場合、前記第２検出系統で検出された各電圧値を基に、前記主回路部の動作を制御することにより、前記主回路部の運転を継続させ、前記第２検出系統の故障を判定した場合、前記第１検出系統で検出された各電圧値を基に、前記主回路部の動作を制御することにより、前記主回路部の運転を継続させる請求項１又は２に記載の電力変換装置。
【請求項４】
三相交流電力の交流電力系統に接続され、三相交流電力から別の電力への変換及び別の電力から三相交流電力への変換の少なくとも一方を行う主回路部と、
第１検出系統と第２検出系統とを有し、前記第１検出系統及び前記第２検出系統により、前記交流電力系統の各相の電圧値を少なくとも２つ取得する電圧検出部と、
前記電圧検出部の取得した各電圧値を基に、前記主回路部の動作を制御する制御回路と、
を備えた電力変換装置の制御方法であって、
前記第１検出系統の検出結果を基に前記交流電力系統の零相分の発生を検出するとともに、前記第２検出系統の検出結果を基に前記交流電力系統の零相分の発生を検出し、
前記第１検出系統及び前記第２検出系統の双方で零相分の発生が検出されていない場合に、前記交流電力系統及び前記電圧検出部が正常であると判定し、
前記第１検出系統及び前記第２検出系統の双方で零相分の発生が検出された場合に、前記交流電力系統において１線地絡事故が発生したと判定し、
前記第１検出系統のみで零相分の発生が検出された場合に、前記第１検出系統の故障と判定し、
前記第２検出系統のみで零相分の発生が検出された場合に、前記第２検出系統の故障と判定する電力変換装置の制御方法。
【発明の詳細な説明】
【技術分野】
【０００１】
本発明の実施形態は、電力変換装置及びその制御方法に関する。
【背景技術】
【０００２】
三相交流電力の電力系統と連系する電力変換装置がある。電力変換装置は、例えば、電力系統の三相交流電力を別の電力に変換して負荷などに供給する。あるいは、別の電力供給源から供給された電力を三相交流電力に変換して電力系統に供給する。電力変換装置は、電力系統の各相の系統電圧の検出を行い、検出した各相の系統電圧を基に、電力変換の制御を行う。
【０００３】
こうした電力変換装置において、１線地絡事故が発生した場合にも、電力変換装置の動作を継続できるようにすることが望まれている。１線地絡事故の発生は、例えば、三相交流電圧の零相分の発生を検出することによって検出することができる。しかしながら、三相交流電圧の零相分は、各相のいずれかの電圧検出器が故障した場合にも発生する。電圧検出器が故障した場合には、装置の動作保護のため、電力変換の動作を停止させる必要が有る。このように、単に零相分の発生を検出するだけでは、１線地絡事故と電圧検出器の故障との区別ができず、動作を停止させざるを得ない。
【０００４】
このため、電力変換装置では、１線地絡事故と電圧検出器の故障とを区別し、それぞれの場合において適切な処置を行えるようにすることにより、信頼性を向上させることが望まれる。
【先行技術文献】
【特許文献】
【０００５】
【特許文献１】特開２０１２−２２３００１号公報
【発明の概要】
【発明が解決しようとする課題】
【０００６】
本発明の実施形態は、高い信頼性の電力変換装置及びその制御方法を提供する。
【課題を解決するための手段】
【０００７】
本発明の実施形態によれば、主回路部と、電圧検出部と、制御回路と、を備えた電力変換装置が提供される。前記主回路部は、三相交流電力の交流電力系統に接続され、三相交流電力から別の電力への変換及び別の電力から三相交流電力への変換の少なくとも一方を行う。前記電圧検出部は、第１検出系統と第２検出系統とを有し、前記第１検出系統及び前記第２検出系統により、前記交流電力系統の各相の電圧値を少なくとも２つ取得する。前記制御回路は、前記電圧検出部の取得した各電圧値を基に、前記主回路部の動作を制御する。前記制御回路は、前記第１検出系統の検出結果を基に前記交流電力系統の零相分の発生を検出するとともに、前記第２検出系統の検出結果を基に前記交流電力系統の零相分の発生を検出し、前記第１検出系統及び前記第２検出系統の双方で零相分の発生が検出されていない場合に、前記交流電力系統及び前記電圧検出部が正常であると判定し、前記第１検出系統及び前記第２検出系統の双方で零相分の発生が検出された場合に、前記交流電力系統において１線地絡事故が発生したと判定し、前記第１検出系統のみで零相分の発生が検出された場合に、前記第１検出系統の故障と判定し、前記第２検出系統のみで零相分の発生が検出された場合に、前記第２検出系統の故障と判定する。
【発明の効果】
【０００８】
高い信頼性の電力変換装置及びその制御方法が提供される。
【図面の簡単な説明】
【０００９】
【図１】実施形態に係る電力変換装置を模式的に表すブロック図である。
【図２】変換器を模式的に表すブロック図である。
【図３】実施形態に係る電力変換装置の一部を模式的に表すブロック図である。
【図４】交流電力系統の各相の交流電圧の検出結果の一例を模式的に表すグラフ図である。
【図５】実施形態に係る電力変換装置の動作の一例を模式的に表すフローチャートである。
【図６】図６（ａ）及び図６（ｂ）は、電圧検出部の変形例を模式的に表すブロック図である。
【図７】変換器の変形例を模式的に表すブロック図である。
【図８】主回路部の変形例を模式的に表すブロック図である。
【００１０】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１１】
図１は、実施形態に係る電力変換装置を模式的に表すブロック図である。  
図１に表したように、電力変換装置１０は、主回路部１２と、制御回路１４と、を備える。電力変換装置１０は、例えば、直流送電システムに用いられる。電力変換装置１０は、直流送電システムにおいて、交流電力系統２及び一対の直流送電線３、４に接続される。
【００１２】
直流送電システムは、例えば、変圧器６を有する。電力変換装置１０の主回路部１２は、変圧器６を介して交流電力系統２に接続される。交流電力系統２の交流電力は、三相交流電力である。より詳しくは、対称三相交流電力である。変圧器６は、交流電力系統２の三相交流電力を主回路部１２に対応した交流電力に変換する。変圧器６は、主回路部１２に合わせて三相交流電力の各相の実効値を変化させる。変圧器６は、三相変圧器である。変圧器６は、必要に応じて設けられ、省略可能である。主回路部１２には、交流電力系統２の三相交流電力を直接供給してもよい。
【００１３】
電力変換装置１０は、交流電力系統２から供給された三相交流電力を直流電力に変換し、変換後の直流電力を直流送電線３、４に供給する。また、電力変換装置１０は、直流送電線３、４から供給された直流電力を三相交流電力に変換し、変換後の三相交流電力を交流電力系統２に供給する。このように、電力変換装置１０は、交流から直流への交直変換、及び、直流から交流への交直変換を行う。
【００１４】
例えば、直流送電線３は、直流電力の高圧側の送電線であり、直流送電線４は、直流電力の低圧側の送電線である。電力変換装置１０は、直流送電線３側が高圧、直流送電線４側が低圧となるように、変換後の直流電力を直流送電線３、４に出力する。
【００１５】
主回路部１２は、交流電力系統２と各直流送電線３、４との間に設けられる。主回路部１２は、三相交流電力から直流電力への変換、及び、直流電力から三相交流電力への変換を行う。主回路部１２は、例えば、ＭＭＣ（Modular Multilevel Converter）型の電力変換器である。ＭＭＣ型の主回路部１２は、直列に接続された複数の変換器を有する。各変換器は、ハーフブリッジ接続又はフルブリッジ接続された複数のスイッチング素子と、各スイッチング素子に並列に接続された電荷蓄積素子と、を有する。主回路部１２は、各スイッチング素子のスイッチングにより、交直変換を行う。
【００１６】
制御回路１４は、主回路部１２に接続されている。制御回路１４は、各スイッチング素子のオン・オフを制御することにより、主回路部１２による三相交流電力から直流電力への変換、及び、直流電力から三相交流電力への変換を制御する。
【００１７】
主回路部１２は、第１及び第２の一対の直流端子２０ａ、２０ｂと、第１〜第３の３つの交流端子２１ａ〜２１ｃと、第１〜第６の６つのアーム部２２ａ〜２２ｆと、を有する。
【００１８】
第１直流端子２０ａは、高圧側の直流送電線３に接続される。第２直流端子２０ｂは、低圧側の直流送電線４に接続される。これにより、主回路部１２によって変換された直流電力が直流送電線３、４に供給されるとともに、直流送電線３、４から供給された直流電力が主回路部１２に入力される。
【００１９】
第１アーム部２２ａは、第１直流端子２０ａに接続される。第２アーム部２２ｂは、第１アーム部２２ａと第２直流端子２０ｂとの間に接続される。第１アーム部２２ａ及び第２アーム部２２ｂは、各直流端子２０ａ、２０ｂの間に直列に接続される。
【００２０】
第３アーム部２２ｃは、第１直流端子２０ａに接続される。第４アーム部２２ｄは、第３アーム部２２ｃと第２直流端子２０ｂとの間に接続される。第３アーム部２２ｃ及び第４アーム部２２ｄは、第１アーム部２２ａ及び第２アーム部２２ｂに対して並列に接続される。
【００２１】
第５アーム部２２ｅは、第１直流端子２０ａに接続される。第６アーム部２２ｆは、第５アーム部２２ｅと第２直流端子２０ｂとの間に接続される。すなわち、第５アーム部２２ｅ及び第６アーム部２２ｆは、第１アーム部２２ａ及び第２アーム部２２ｂに対して並列に接続されるとともに、第３アーム部２２ｃ及び第４アーム部２２ｄに対して並列に接続される。
【００２２】
主回路部１２では、第１アーム部２２ａ及び第２アーム部２２ｂによって第１レグＬＧ１が構成され、第３アーム部２２ｃ及び第４アーム部２２ｄによって第２レグＬＧ２が構成され、第５アーム部２２ｅ及び第６アーム部２２ｆによって第３レグＬＧ３が構成される。すなわち、この例において、主回路部１２は、３レグ、６アームの三相インバータである。第１アーム部２２ａ、第３アーム部２２ｃ及び第５アーム部２２ｅは、上側アームである。第２アーム部２２ｂ、第４アーム部２２ｄ及び第６アーム部２２ｆは、下側アームである。
【００２３】
第１アーム部２２ａは、直列に接続された複数の変換器ＵＰ１、ＵＰ２…ＵＰＭ１を有する。第２アーム部２２ｂは、直列に接続された複数の変換器ＵＮ１、ＵＮ２…ＵＮＭ２を有する。第３アーム部２２ｃは、直列に接続された複数の変換器ＶＰ１、ＶＰ２…ＶＰＭ３を有する。第４アーム部２２ｄは、直列に接続された複数の変換器ＶＮ１、ＶＮ２…ＶＮＭ４を有する。第５アーム部２２ｅは、直列に接続された複数の変換器ＷＰ１、ＷＰ２…ＷＰＭ５を有する。第６アーム部２２ｆは、直列に接続された複数の変換器ＷＮ１、ＷＮ２…ＷＮＭ６を有する。
【００２４】
但し、以下では、各変換器ＵＰ１、ＵＰ２…ＵＰＭ１、ＵＮ１、ＵＮ２…ＵＮＭ２、ＶＰ１、ＶＰ２…ＶＰＭ３、ＶＮ１、ＶＮ２…ＶＮＭ４、ＷＰ１、ＷＰ２…ＷＰＭ５、ＷＮ１、ＷＮ２…ＷＮＭ６をまとめて呼称する場合に、「変換器ＣＥＬ」と称す。
【００２５】
各アーム部２２ａ〜２２ｆにおいて、Ｍ１、Ｍ２、Ｍ３、Ｍ４、Ｍ５、Ｍ６は、直列接続された変換器ＣＥＬの台数を表す。各アーム部２２ａ〜２２ｆにおいて、直列接続される変換器ＣＥＬの台数は、例えば、１００台〜１２０台程度である。但し、直列接続される変換器ＣＥＬの台数は、これに限ることなく、任意の台数でよい。
【００２６】
各アーム部２２ａ〜２２ｆに設けられる変換器ＣＥＬの台数は、実質的に同じである。例えば、多数の各変換器ＣＥＬが接続される場合には、主回路部１２の動作に影響のない範囲において、各アーム部２２ａ〜２２ｆに設けられる変換器ＣＥＬの台数が異なってもよい。例えば、１つのアーム部に１００台の変換器ＣＥＬを直列に接続する場合、別のアーム部に設ける変換器ＣＥＬの台数は、１〜２台異なってもよい。
【００２７】
各アーム部２２ａ〜２２ｆのそれぞれは、バッファリアクトル２３ａ〜２３ｆと、複数の電流検出器２４ａ〜２４ｆと、をさらに有する。また、電力変換装置１０は、電圧検出部２５をさらに有する。
【００２８】
各バッファリアクトル２３ａ〜２３ｆは、各アーム部２２ａ〜２２ｆのそれぞれにおいて、各変換器ＣＥＬに直列に接続される。第１アーム部２２ａのバッファリアクトル２３ａは、交流端子２１ａと第１アーム部２２ａ及び第２アーム部２２ｂとの接続点と変換器ＵＰ１との間に設けられる。第２アーム部２２ｂのバッファリアクトル２３ｂは、交流端子２１ａと第１アーム部２２ａ及び第２アーム部２２ｂとの接続点と変換器ＵＮ１との間に設けられる。第３アーム部２２ｃのバッファリアクトル２３ｃは、交流端子２１ｂと第３アーム部２２ｃ及び第４アーム部２２ｄとの接続点と変換器ＶＰ１との間に設けられる。第４アーム部２２ｄのバッファリアクトル２３ｄは、交流端子２１ｂと第３アーム部２２ｃ及び第４アーム部２２ｄとの接続点と変換器ＶＮ１との間に設けられる。第５アーム部２２ｅのバッファリアクトル２３ｅは、交流端子２１ｃと第５アーム部２２ｅ及び第６アーム部２２ｆとの接続点と変換器ＷＰ１との間に設けられる。第６アーム部２２ｆのバッファリアクトル２３ｆは、交流端子２１ｃと第５アーム部２２ｅ及び第６アーム部２２ｆとの接続点と変換器ＷＮ１との間に設けられる。
【００２９】
電流検出器２４ａは、第１アーム部２２ａに設けられ、第１アーム部２２ａに流れる電流を検出する。すなわち、電流検出器２４ａは、第１アーム部２２ａのアーム電流を検出する。電流検出器２４ａは、図示を省略した配線などを介して制御回路１４に接続されている。電流検出器２４ａは、検出した第１アーム部２２ａの電流値を制御回路１４に入力する。これにより、制御回路１４には、第１アーム部２２ａの電流値が入力される。
【００３０】
以下同様に、電流検出器２４ｂは、第２アーム部２２ｂに流れる電流を検出し、検出した電流値を制御回路１４に入力する。電流検出器２４ｃは、第３アーム部２２ｃに流れる電流を検出し、検出した電流値を制御回路１４に入力する。電流検出器２４ｄは、第４アーム部２２ｄに流れる電流を検出し、検出した電流値を制御回路１４に入力する。電流検出器２４ｅは、第５アーム部２２ｅに流れる電流を検出し、検出した電流値を制御回路１４に入力する。電流検出器２４ｆは、第６アーム部２２ｆに流れる電流を検出し、検出した電流値を制御回路１４に入力する。
【００３１】
電圧検出部２５は、交流電力系統２の各相の交流電圧（相電圧）を検出し、検出値を制御回路１４に入力する。電圧検出部２５は、変圧器６の一次側に接続してもよいし、二次側に接続してもよい。
【００３２】
主回路部１２では、第１アーム部２２ａと第２アーム部２２ｂとの接続点、第３アーム部２２ｃと第４アーム部２２ｄとの接続点、及び、第５アーム部２２ｅと第６アーム部２２ｆとの接続点のそれぞれが、交流出力点となる。
【００３３】
第１交流端子２１ａは、第１アーム部２２ａと第２アーム部２２ｂとの接続点に接続される。第２交流端子２１ｂは、第３アーム部２２ｃと第４アーム部２２ｄとの接続点に接続される。第３交流端子２１ｃは、第５アーム部２２ｅと第６アーム部２２ｆとの接続点に接続される。各交流端子２１ａ〜２１ｃは、例えば、変圧器６に接続される。
【００３４】
各変換器ＣＥＬは、信号線２６を介して制御回路１４と接続される。制御回路１４は、信号線２６を介して変換器ＣＥＬに制御信号を入力することにより、変換器ＣＥＬの動作を制御する。また、変換器ＣＥＬは、例えば、変換器ＣＥＬの制御及び動作保護に関する制御信号や保護信号を図示されていない別の信号線を介して制御回路１４に入力する。
【００３５】
図２は、変換器を模式的に表すブロック図である。  
図２に表したように、変換器ＣＥＬは、第１接続端子４０ａと、第２接続端子４０ｂと、第１スイッチング素子４１と、第２スイッチング素子４２と、電荷蓄積素子４５と、ドライバ回路４６と、を有する。
【００３６】
各スイッチング素子４１、４２のそれぞれは、一対の主端子と、制御端子と、を含む。制御端子は、一対の主端子間に流れる電流を制御する。各スイッチング素子４１、４２には、例えば、ＩＧＢＴなどの自己消弧素子が用いられる。一対の主端子は、例えば、エミッタ及びコレクタであり、制御端子は、例えば、ゲートである。また、各スイッチング素子４１、４２には、例えば、ノーマリオフ型の半導体素子が用いられる。
【００３７】
第２スイッチング素子４２の一対の主端子は、第１スイッチング素子４１の一対の主端子に対して直列に接続される。電荷蓄積素子４５は、第１スイッチング素子４１及び第２スイッチング素子４２に対して並列に接続される。電荷蓄積素子４５は、例えば、コンデンサである。第１接続端子４０ａは、第１スイッチング素子４１と第２スイッチング素子４２との間に接続される。第２接続端子４０ｂは、第１スイッチング素子４１の第２スイッチング素子４２に接続された主端子と反対側の主端子に接続される。
【００３８】
また、第１スイッチング素子４１には、一対の主端子に対して逆並列に整流素子４１ｄが接続されている。整流素子４１ｄの順方向は、第１スイッチング素子４１の一対の主端子間に流れる電流の向きに対して逆向きである。同様に、第２スイッチング素子４２には、一対の主端子に対して逆並列に整流素子４２ｄが接続されている。整流素子４１ｄ、４２ｄは、いわゆる還流ダイオードである。
【００３９】
変換器ＣＥＬに対する電力の供給は、各接続端子４０ａ、４０ｂを介して行われる。変換器ＣＥＬにおいて、各スイッチング素子４１、４２は、ハーフブリッジ接続されている。換言すれば、変換器ＣＥＬは、双方向チョッパである。第１スイッチング素子４１は、いわゆるローサイドスイッチであり、第２スイッチング素子４２は、いわゆるハイサイドスイッチである。
【００４０】
各スイッチング素子４１、４２の制御端子は、ドライバ回路４６に入力されている。ドライバ回路４６は、信号線２６を介して制御回路１４に接続されている。制御回路１４は、各スイッチング素子４１、４２のオン・オフを制御するための制御信号を信号線２６を介してドライバ回路４６に送信する。ドライバ回路４６は、入力された制御信号に基づいて、各スイッチング素子４１、４２のオン・オフを切り替える。これにより、制御回路１４からの制御信号に応じて、各スイッチング素子４１、４２のオン・オフが制御される。制御回路１４は、各変換器ＣＥＬ毎に制御信号を生成し、各変換器ＣＥＬのそれぞれの各スイッチング素子４１、４２のオン・オフを制御する。これにより、制御回路１４は、主回路部１２による電力の変換を制御する。
【００４１】
図３は、実施形態に係る電力変換装置の一部を模式的に表すブロック図である。  
図３に表したように、電圧検出部２５は、第１検出系統２５ａと、第２検出系統２５ｂと、を有する。第１検出系統２５ａは、主電圧検出器６１と、補助電圧検出器６２と、Ａ／Ｄ変換器６３〜６５と、を有する。
【００４２】
主電圧検出器６１の一次側は、交流電力系統２に接続されている。補助電圧検出器６２の一次側は、主電圧検出器６１の二次側に接続されている。図３では図示を省略しているが、主電圧検出器６１及び補助電圧検出器６２は、実際には、交流電力系統２の各相に対応して３つずつ設けられている。１つの補助電圧検出器６２は、１つの主電圧検出器６１の二次側に接続される。主電圧検出器６１及び補助電圧検出器６２は、交流電力系統２の各相の交流電圧（相電圧）を検出する。
【００４３】
主電圧検出器６１は、例えば、交流電力系統２の高電圧（例えば２７５ｋＶ）を中程度の電圧（例えば１１０Ｖ）に変換する。補助電圧検出器６２は、例えば、主電圧検出器６１から出力された電圧を電子回路レベルの電圧（例えば７Ｖ）に変換する。主電圧検出器６１及び補助電圧検出器６２は、換言すれば、計測用の変成器である。補助電圧検出器６２の数は、１つに限ることなく、２つ以上でもよい。交流電力系統２の交流電圧が比較的低い場合などには、補助電圧検出器６２を省略してもよい。
【００４４】
各Ａ／Ｄ変換器６３〜６５は、補助電圧検出器６２の二次側に接続されている。各Ａ／Ｄ変換器６３〜６５は、３つの補助電圧検出器６２のそれぞれの二次側に接続される。各Ａ／Ｄ変換器６３〜６５は、各補助電圧検出器６２から出力されたアナログの検出信号をデジタル信号に変換する。これにより、主電圧検出器６１、補助電圧検出器６２、及び各Ａ／Ｄ変換器６３〜６５により、交流電力系統２の各相の交流電圧の電圧値が検出される。
【００４５】
ここで、交流電力系統２の３つの相を、それぞれＵ相、Ｖ相、Ｗ相とする。そして、Ｕ相の交流電圧の電圧値をＶｓ_Ｕとし、Ｖ相の交流電圧の電圧値をＶｓ_Ｖとし、Ｗ相の交流電圧の電圧値をＶｓ_Ｗとする。Ａ／Ｄ変換器６３は、Ｕ相の電圧値Ｖｓ_Ｕ１を検出する。Ａ／Ｄ変換器６４は、Ｖ相の電圧値Ｖｓ_Ｖ１を検出する。Ａ／Ｄ変換器６５は、Ｗ相の電圧値Ｖｓ_Ｗ１を検出する。
【００４６】
第２検出系統２５ｂは、主電圧検出器７１と、補助電圧検出器７２と、Ａ／Ｄ変換器７３〜７５と、を有する。第２検出系統２５ｂは、例えば、第１検出系統２５ａに対して並列に接続される。第２検出系統２５ｂの構成は、第１検出系統２５ａの構成と実質的に同じであるから、詳細な説明は省略する。Ａ／Ｄ変換器７３は、Ｕ相の電圧値Ｖｓ_Ｕ２を検出する。Ａ／Ｄ変換器７４は、Ｖ相の電圧値Ｖｓ_Ｖ２を検出する。Ａ／Ｄ変換器７５は、Ｗ相の電圧値Ｖｓ_Ｗ２を検出する。
【００４７】
このように、電圧検出部２５は、第１検出系統２５ａと第２検出系統２５ｂとにより、交流電力系統２の各相の交流電圧の電圧値Ｖｓ_Ｕ、Ｖｓ_Ｖ、Ｖｓ_Ｗを２つずつ取得する。電圧検出部２５に設けられる検出系統の数は、３つ以上でもよい。電圧検出部２５は、交流電力系統２の各相の交流電圧の電圧値Ｖｓ_Ｕ、Ｖｓ_Ｖ、Ｖｓ_Ｗを３つ以上取得してもよい。すなわち、電圧検出部２５は、交流電力系統２の各相の交流電圧の電圧値Ｖｓ_Ｕ、Ｖｓ_Ｖ、Ｖｓ_Ｗを少なくとも２つ取得すればよい。
【００４８】
制御回路１４は、制御信号生成部８０と、零相検出部８２と、を有する。電圧検出部２５の第１検出系統２５ａで検出された各電圧値Ｖｓ_Ｕ１、Ｖｓ_Ｖ１、Ｖｓ_Ｗ１、及び第２検出系統２５ｂで検出された各電圧値Ｖｓ_Ｕ２、Ｖｓ_Ｖ２、Ｖｓ_Ｗ２は、制御信号生成部８０及び零相検出部８２のそれぞれに入力される。
【００４９】
零相検出部８２は、第１検出部８２ａと、第２検出部８２ｂと、を有する。第１検出部８２ａは、加算器８３と、絶対値検出回路８４と、レベル検出回路８５と、を有する。加算器８３には、電圧検出部２５の第１検出系統２５ａで取得された各電圧値Ｖｓ_Ｕ１、Ｖｓ_Ｖ１、Ｖｓ_Ｗ１が入力される。
【００５０】
加算器８３は、入力された各電圧値Ｖｓ_Ｕ１、Ｖｓ_Ｖ１、Ｖｓ_Ｗ１のそれぞれを加算する。これにより、加算器８３は、入力された各電圧値Ｖｓ_Ｕ１、Ｖｓ_Ｖ１、Ｖｓ_Ｗ１から交流電力系統２の零相分の電圧値Ｖｓ_０１を算出する。加算器８３は、算出した零相分の電圧値Ｖｓ_０１を絶対値検出回路８４に入力する。
【００５１】
絶対値検出回路８４は、入力された零相分の電圧値Ｖｓ_０１の絶対値を検出し、検出した絶対値をレベル検出回路８５に入力する。レベル検出回路８５は、制御信号生成部８０に接続されている。レベル検出回路８５は、例えば、入力された零相分の電圧値Ｖｓ_０１の絶対値が所定値未満である場合に、「０」を制御信号生成部８０に出力し、所定値以上である場合に、「１」を制御信号生成部８０に出力する。
【００５２】
図４は、交流電力系統の各相の交流電圧の検出結果の一例を模式的に表すグラフ図である。  
図４では、交流電力系統２のＵ相が、時刻Ｔ１において１線地絡事故を起こした状態を模式的に表している。  
図４に表したように、交流電力系統２が正常である場合、各電圧値Ｖｓ_Ｕ、Ｖｓ_Ｖ、Ｖｓ_Ｗの合計は、実質的に０である（図４の時刻Ｔ０〜時刻Ｔ１）。すなわち、交流電力系統２が正常である場合、零相分の電圧値Ｖｓ_０は、実質的に０である。そして、交流電力系統２が１線地絡事故を起こした場合には、残りの２つの相の合計の電圧が、零相分の電圧値Ｖｓ_０として表れる（図４の時刻Ｔ１〜時刻Ｔ２）。従って、零相分の電圧値Ｖｓ_０の絶対値が所定値以上である場合には、交流電力系統２において１線地絡事故が発生したと考えることができる。
【００５３】
また、図４に示した波形は、時刻Ｔ１においてＵ相の検出系に故障が発生した場合にも生じる。すなわち、図４に示した波形は、Ｕ相の主電圧検出器６１、Ｕ相の補助電圧検出器６２、及びＡ／Ｄ変換器６３のいずれかに故障が発生した場合にも生じる。
【００５４】
上記のように、レベル検出回路８５は、零相分の電圧値Ｖｓ_０１の絶対値が所定値未満である場合に、「０」を出力し、所定値以上である場合に、「１」を出力する。すなわち、レベル検出回路８５は、交流電力系統２及び電圧検出部２５が正常である場合に、「０」を出力し、交流電力系統２及び電圧検出部２５の第１検出系統２５ａの少なくとも一方に異常が発生した場合に、「１」を出力する。
【００５５】
第２検出部８２ｂは、加算器８６と、絶対値検出回路８７と、レベル検出回路８８と、を有する。第２検出部８２ｂの構成は、第１検出部８２ａの構成と実質的に同じである。加算器８６には、電圧検出部２５の第２検出系統２５ｂで取得された各電圧値Ｖｓ_Ｕ２、Ｖｓ_Ｖ２、Ｖｓ_Ｗ２が入力される。加算器８６は、各電圧値Ｖｓ_Ｕ２、Ｖｓ_Ｖ２、Ｖｓ_Ｗ２から交流電力系統２の零相分の電圧値Ｖｓ_０２を算出する。絶対値検出回路８７は、零相分の電圧値Ｖｓ_０２の絶対値を検出する。レベル検出回路８８は、例えば、入力された零相分の電圧値Ｖｓ_０２の絶対値が所定値未満である場合に、「０」を制御信号生成部８０に出力し、所定値以上である場合に、「１」を制御信号生成部８０に出力する。
【００５６】
制御信号生成部８０は、各レベル検出回路８５、８８の出力を基に、交流電力系統２及び電圧検出部２５の状態を判定する。
【００５７】
制御信号生成部８０は、各レベル検出回路８５、８８の出力がどちらも「０」である場合、交流電力系統２及び電圧検出部２５が正常であると判定する。すなわち、制御信号生成部８０は、第１検出系統２５ａ及び第２検出系統２５ｂの双方で零相分の発生が検出されていない場合に、交流電力系統２及び電圧検出部２５が正常であると判定する。
【００５８】
制御信号生成部８０は、各レベル検出回路８５、８８の出力がどちらも「１」である場合、交流電力系統２に１線地絡事故が発生していると判定する。すなわち、制御信号生成部８０は、第１検出系統２５ａ及び第２検出系統２５ｂの双方で零相分の発生が検出された場合に、１線地絡事故の発生と判定する。
【００５９】
制御信号生成部８０は、レベル検出回路８５の出力が「１」で、レベル検出回路８８の出力が「０」である場合、第１検出系統２５ａが故障していると判定する。すなわち、制御信号生成部８０は、第１検出系統２５ａのみで零相分の発生が検出された場合に、第１検出系統２５ａの故障と判定する。
【００６０】
そして、制御信号生成部８０は、レベル検出回路８５の出力が「０」で、レベル検出回路８８の出力が「１」である場合、第２検出系統２５ｂが故障していると判定する。制御信号生成部８０は、第２検出系統２５ｂのみで零相分の発生が検出された場合に、第２検出系統２５ｂの故障と判定する。
【００６１】
制御信号生成部８０は、交流電力系統２及び電圧検出部２５が正常であると判定した場合、各電流検出器２４ａ〜２４ｆ及び電圧検出部２５の各検出結果を基に、各変換器ＣＥＬの制御信号を生成し、制御信号を各変換器ＣＥＬに入力することにより、主回路部１２による電力の変換を制御する。
【００６２】
制御信号生成部８０は、例えば、各電流検出器２４ａ〜２４ｆ及び電圧検出部２５の各検出結果を基に、各直流送電線３、４に流れる直流電流の検出値と、交流電力系統２の各相の交流電流の検出値と、を取得する。
【００６３】
また、制御信号生成部８０には、各直流送電線３、４に流れる直流電流の直流電流指令値と、交流電力系統２の各相の交流電流の交流電流指令値と、が入力される。直流電流指令値及び交流電流指令値は、例えば、直流送電システムの上位のコントローラなどから制御信号生成部８０に入力される。
【００６４】
制御信号生成部８０は、例えば、取得した直流電流の検出値及び各相の交流電流の検出値のそれぞれが、直流電流指令値及び交流電流指令値と一致するように、各変換器ＣＥＬのそれぞれにおいて各スイッチング素子４１、４２のオン・オフのタイミングを決定し、決定したタイミングで各スイッチング素子４１、４２のオン・オフを制御する。このように、制御回路１４は、各電流検出器２４ａ〜２４ｆ及び電圧検出部２５の検出値を基に、直流電流指令値及び交流電流指令値に応じた電流値となるように、主回路部１２の動作を制御する。
【００６５】
また、この際、制御信号生成部８０は、電圧検出部２５の第１検出系統２５ａで検出された各電圧値Ｖｓ_Ｕ１、Ｖｓ_Ｖ１、Ｖｓ_Ｗ１、及び第２検出系統２５ｂで検出された各電圧値Ｖｓ_Ｕ２、Ｖｓ_Ｖ２、Ｖｓ_Ｗ２を基に、交流電力系統２の各相の電圧値を決定する。制御信号生成部８０は、決定した各相の電圧値をもとに、上記のように主回路部１２の動作を制御する。
【００６６】
制御信号生成部８０は、例えば、第１検出系統２５ａの検出値及び第２検出系統２５ｂの検出値の最小値を相毎に決定する。具体的には、電圧値Ｖｓ_Ｕ１と電圧値Ｖｓ_Ｕ２との絶対値の小さい方を、Ｕ相の電圧値として決定する。
【００６７】
各相の電圧値の決定方法は、上記に限らない。例えば、上記とは反対に、第１検出系統２５ａの検出値及び第２検出系統２５ｂの検出値の最大値を選択してもよい。また、第１検出系統２５ａ及び第２検出系統２５ｂのうち、予め決められた方の検出値を選択してもよい。あるいは、第１検出系統２５ａの検出値及び第２検出系統２５ｂの検出値の平均値を各相の電圧値として決定してもよい。例えば、電圧検出部２５が３つ以上の検出系統を有する場合には、各検出系統の検出値の中間値を各相の電圧値として決定してもよい。
【００６８】
制御信号生成部８０は、１線地絡事故の発生を判定した場合、系統事故時の運転条件で主回路部１２の運転を継続させる。系統事故時の運転条件は、例えば、通常時よりも出力を低下させた運転条件である。交流電力系統２から直流送電線３、４に直流電力を供給する場合、系統事故時の運転条件は、例えば、通常時よりも直流送電線３、４に供給する直流電力を低下させた運転条件である。直流送電線３、４から交流電力系統２に三相交流電力を供給する場合、系統事故時の運転条件は、例えば、通常時よりも交流電力系統２に供給する三相交流電力（有効電力）を低下させた運転条件である。この際、交流電力系統２の各相の電圧値の決定方法は、正常時と同様でよい。
【００６９】
また、制御信号生成部８０は、例えば、１線地絡事故の発生から所定時間の計時を行い、１線地絡事故が所定時間継続された場合には、主回路部１２の動作を停止させる。制御信号生成部８０は、例えば、１線地絡事故が１秒以上継続された場合、主回路部１２の動作を停止させる。
【００７０】
制御回路１４は、１線地絡事故の発生を検出した場合に、報知動作を行ってもよい。報知は、管理者などの人に対する報知でもよいし、上位のコントローラなどに対する報知（信号の送信）でもよい。人に対する報知を行う場合には、例えば、電力変換装置１０に報知部を設ける。制御回路１４は、例えば、１線地絡事故の検出に応じて報知部を動作させることにより、報知を行う。報知部は、音声を出力するスピーカや、文字や図柄を表示するディスプレイなど、１線地絡事故の発生を報知可能な任意の構成でよい。
【００７１】
制御信号生成部８０は、第１検出系統２５ａの故障を判定した場合、第２検出系統２５ｂで検出された各電圧値Ｖｓ_Ｕ２、Ｖｓ_Ｖ２、Ｖｓ_Ｗ２を基に、主回路部１２の運転を継続させる。同様に、制御信号生成部８０は、第２検出系統２５ｂの故障を判定した場合、第１検出系統２５ａで検出された各電圧値Ｖｓ_Ｕ１、Ｖｓ_Ｖ１、Ｖｓ_Ｗ１を基に、主回路部１２の運転を継続させる。また、制御信号生成部８０は、第１検出系統２５ａの故障を検出した状態で、第２検出系統２５ｂで零相分の発生が検出された場合、及び第２検出系統２５ｂの故障を検出した状態で、第１検出系統２５ａで零相分の発生が検出された場合、主回路部１２の動作を停止させる。
【００７２】
制御信号生成部８０は、例えば、第１検出系統２５ａの故障を判定した場合、及び第２検出系統２５ｂの故障を判定した場合、故障の判定に応答して主回路部１２の動作を停止させてもよい。また、制御回路１４は、第１検出系統２５ａの故障又は第２検出系統２５ｂの故障を検出した場合に、報知動作を行ってもよい。故障検出時の報知動作は、１線地絡事故の場合と同様でよい。
【００７３】
図５は、実施形態に係る電力変換装置の動作の一例を模式的に表すフローチャートである。  
図５に表したように、電力変換装置１０は、動作を開始すると、各アーム部２２ａ〜２２ｆの電流値を各電流検出器２４ａ〜２４ｆで検出するとともに、交流電力系統２の各相の電圧値を電圧検出部２５の第１検出系統２５ａ及び第２検出系統２５ｂのそれぞれで検出する（図５のステップＳ１）。
【００７４】
電力変換装置１０の制御回路１４は、零相検出部８２において、交流電力系統２の零相分の検出を行う。零相検出部８２は、第１検出系統２５ａで検出された各電圧値Ｖｓ_Ｕ１、Ｖｓ_Ｖ１、Ｖｓ_Ｗ１から交流電力系統２の零相分の発生を検出するとともに、第２検出系統２５ｂで検出された各電圧値Ｖｓ_Ｕ２、Ｖｓ_Ｖ２、Ｖｓ_Ｗ２から交流電力系統２の零相分の発生を検出する。零相検出部８２は、交流電力系統２の零相分の検出結果を制御信号生成部８０に入力する。
【００７５】
制御信号生成部８０は、零相検出部８２の検出結果を基に、交流電力系統２及び電圧検出部２５の正常、１線地絡事故の発生、第１検出系統２５ａの故障、及び第２検出系統２５ｂの故障のいずれかを判定する。
【００７６】
制御信号生成部８０は、交流電力系統２及び電圧検出部２５が正常であると判定した場合（図５のステップＳ２の「Ｙ」）、第１検出系統２５ａ及び第２検出系統２５ｂの各検出結果を基に、交流電力系統２の各相の電圧値を決定する（図５のステップＳ３）。
【００７７】
制御信号生成部８０は、決定した交流電力系統２の各相の電圧値、及び各電流検出器２４ａ〜２４ｆの各検出結果を基に、各変換器ＣＥＬの制御信号を生成し、制御信号を各変換器ＣＥＬに入力することにより、主回路部１２による電力の変換を制御する（図５のステップＳ４）。これにより、交流電力系統２から直流送電線３、４に電力が供給される。あるいは、直流送電線３、４から交流電力系統２に電力が供給される。この後、制御回路１４は、ステップＳ１の動作に戻る。
【００７８】
制御信号生成部８０は、１線地絡事故の発生を判定した場合（図５のステップＳ５の「Ｙ」）、第１検出系統２５ａ及び第２検出系統２５ｂの各検出結果を基に、交流電力系統２の各相の電圧値を決定する（図５のステップＳ６）。
【００７９】
この後、制御信号生成部８０は、系統事故時の運転条件に基づいて各変換器ＣＥＬの制御信号を生成し、制御信号を各変換器ＣＥＬに入力することにより、系統事故時の運転条件で主回路部１２の運転を継続させる（図５のステップＳ７）。この後、制御回路１４は、ステップＳ１の動作に戻る。この際、制御回路１４は、計時を行い、１線地絡事故が所定時間継続された場合には、主回路部１２の動作を停止させる。
【００８０】
制御信号生成部８０は、第１検出系統２５ａの故障を判定した場合（図５のステップＳ８の「Ｙ」）、第２検出系統２５ｂで検出された各電圧値Ｖｓ_Ｕ２、Ｖｓ_Ｖ２、Ｖｓ_Ｗ２、及び各電流検出器２４ａ〜２４ｆの各検出結果を基に、各変換器ＣＥＬの制御信号を生成し、制御信号を各変換器ＣＥＬに入力することにより、主回路部１２の運転を継続させる（図５のステップＳ９）。この後、制御回路１４は、ステップＳ１の動作に戻る。
【００８１】
そして、制御信号生成部８０は、第２検出系統２５ｂの故障を判定した場合（図５のステップＳ８の「Ｎ」）、第１検出系統２５ａで検出された各電圧値Ｖｓ_Ｕ１、Ｖｓ_Ｖ１、Ｖｓ_Ｗ１、及び各電流検出器２４ａ〜２４ｆの各検出結果を基に、各変換器ＣＥＬの制御信号を生成し、制御信号を各変換器ＣＥＬに入力することにより、主回路部１２の運転を継続させる（図５のステップＳ１０）。この後、制御回路１４は、ステップＳ１の動作に戻り、以下同様の処理を繰り返す。
【００８２】
このように、本実施形態に係る電力変換装置１０では、交流電力系統２の１線地絡事故と電圧検出部２５の故障とを区別し、それぞれの場合において適切な処置を行うことができる。これにより、電力変換装置１０では、零相分の検出に応じて動作を停止させる場合などに比べて、信頼性を向上させることができる。
【００８３】
図６（ａ）及び図６（ｂ）は、電圧検出部の変形例を模式的に表すブロック図である。  図６（ａ）に表したように、この例では、電圧検出部２５の第２検出系統２５ｂにおいて、主電圧検出器７１が省略されている。この例においては、第２検出系統２５ｂの補助電圧検出器７２が、第１検出系統２５ａの主電圧検出器６１の二次側に接続されている。
【００８４】
また、図６（ｂ）に表した例では、第２検出系統２５ｂにおいて、主電圧検出器７１及び補助電圧検出器７２が省略されている。図６（ｂ）の例では、第２検出系統２５ｂのＡ／Ｄ変換器７３〜７５が、第１検出系統２５ａの補助電圧検出器６２の二次側に接続されている。
【００８５】
このように、電圧検出部２５において冗長化させる部分は、主電圧検出器６１、７１から後段でもよいし、補助電圧検出器６２、７２から後段でもよいし、Ａ／Ｄ変換器６３〜６５、７３〜７５のみでもよい。電圧検出部２５において冗長化させる部分は、システムの仕様に応じて任意に選定すればよい。電圧検出部２５は、第１検出系統２５ａと第２検出系統２５ｂとを有し、交流電力系統２の各相の交流電圧の電圧値を少なくとも２つ取得可能な任意の構成でよい。
【００８６】
図７は、変換器の変形例を模式的に表すブロック図である。  
図７に表したように、この例において、変換器ＣＥＬは、第３スイッチング素子４３と、第４スイッチング素子４４と、をさらに含む。第３スイッチング素子４３、第４スイッチング素子４４には、第１スイッチング素子４１、第２スイッチング素子４２と実質的に同じ素子が用いられる。
【００８７】
第４スイッチング素子４４の一対の主端子は、第３スイッチング素子４３の一対の主端子に対して直列に接続される。また、第３スイッチング素子４３及び第４スイッチング素子４４は、第１スイッチング素子４１及び第２スイッチング素子４２に対して並列に接続される。電荷蓄積素子４５は、第１スイッチング素子４１及び第２スイッチング素子４２に対して並列に接続されるとともに、第３スイッチング素子４３及び第４スイッチング素子４４に対して並列に接続される。
【００８８】
第３スイッチング素子４３には、一対の主端子に対して逆並列に整流素子４３ｄが接続されている。第４スイッチング素子４４には、一対の主端子に対して逆並列に整流素子４４ｄが接続されている。
【００８９】
変換器ＣＥＬの第１接続端子４０ａは、第１スイッチング素子４１と第２スイッチング素子４２との間に接続されている。第２接続端子４０ｂは、第３スイッチング素子４３と第４スイッチング素子４４との間に接続されている。この例において、第２接続端子４０ｂは、第３スイッチング素子４３を介して第１スイッチング素子４１の第２スイッチング素子４２に接続された主端子と反対側の主端子に接続される。すなわち、この例において、各スイッチング素子４１〜４４は、フルブリッジ接続されている。この例において、変換器ＣＥＬは、フルブリッジ回路である。ドライバ回路４６は、入力された制御信号に基づいて、各スイッチング素子４１〜４４のオン・オフを切り替える。
【００９０】
このように、ＭＭＣ型の主回路部１２に用いられる変換器ＣＥＬは、ハーフブリッジ回路でもよいし、フルブリッジ回路でもよい。
【００９１】
図８は、主回路部の変形例を模式的に表すブロック図である。  
図８に表したように、この例の主回路部１２ａでは、図１に表した変圧器６、及びバッファリアクトル２３ａ〜２３ｆが省略され、これらの代わりに、３巻線トランス１１１〜１１３が設けられている。
【００９２】
３巻線トランス１１１は、第１アーム部２２ａと第２アーム部２２ｂとの間に設けられている。３巻線トランス１１１は、一次巻線１１１ａと、二次巻線１１１ｂと、三次巻線１１１ｃと、を有する。３巻線トランス１１１の一次巻線１１１ａは、交流電力系統２に接続されている。二次巻線１１１ｂは、上側アームである第１アーム部２２ａの負端子に接続されている。三次巻線１１１ｃは、下側アームである第２アーム部２２ｂの正端子に接続されている。
【００９３】
３巻線トランス１１２は、第３アーム部２２ｃと第４アーム部２２ｄとの間に設けられている。３巻線トランス１１２は、一次巻線１１２ａと、二次巻線１１２ｂと、三次巻線１１２ｃと、を有する。３巻線トランス１１２の一次巻線１１２ａは、交流電力系統２に接続されている。二次巻線１１２ｂは、上側アームである第３アーム部２２ｃの負端子に接続されている。三次巻線１１２ｃは、下側アームである第４アーム部２２ｄの正端子に接続されている。
【００９４】
３巻線トランス１１３は、第５アーム部２２ｅと第６アーム部２２ｆとの間に設けられている。３巻線トランス１１３は、一次巻線１１３ａと、二次巻線１１３ｂと、三次巻線１１３ｃと、を有する。３巻線トランス１１３の一次巻線１１３ａは、交流電力系統２に接続されている。二次巻線１１３ｂは、上側アームである第５アーム部２２ｅの負端子に接続されている。三次巻線１１３ｃは、下側アームである第６アーム部２２ｆの正端子に接続されている。
【００９５】
また、各３巻線トランス１１１〜１１３では、二次巻線１１１ｂと三次巻線１１１ｃとの中性点、二次巻線１１２ｂと三次巻線１１２ｃとの中性点、及び二次巻線１１３ｂと三次巻線１１３ｃとの中性点のそれぞれが、互いに接続されている。
【００９６】
図８に表した主回路部１２ａも、図１に表した主回路部１２と同様の動作で交直変換を行うことができる。交流電力系統２の１線地絡事故と電圧検出部２５の故障とを区別し、それぞれの場合において適切な処置を行うことができ、信頼性を向上させることができる。また、この例の主回路部１２ａでは、主回路部１２に比べてバッファリアクトル２３ａ〜２３ｆなどを省略することができ、部品点数を削減することができる。例えば、電力変換装置１０の大型化やコスト増を抑制することができる。
【００９７】
上記各実施形態では、主回路部１２、１２ａにＭＭＣ型の電力変換器を用いている。主回路部１２、１２ａは、ＭＭＣ型に限ることなく、複数の変換器ＣＥＬを直列に接続する他の方式の電力変換器でもよい。また、主回路部は、複数の変換器ＣＥＬを直列に接続する方式に限ることなく、例えば、２レベルインバータや３レベルインバータなどでもよい。主回路部の構成は、三相交流電力を別の電力に変換可能な任意の構成でよい。
【００９８】
電力変換装置１０は、直流送電システムに限ることなく、交流から直流への変換及び直流から交流への変換が必要な他の任意のシステムなどに適用してもよい。電力変換装置１０による交直変換は、交流から直流及び直流から交流の双方に限ることなく、交流から直流又は直流から交流の一方のみでもよい。また、電力変換装置１０は、例えば、三相交流電力を周波数や振幅などが異なる別の交流電力に変換する電力変換装置でもよい。電力変換装置１０は、三相交流電力の交流電力系統２と連系する任意の電力変換装置でよい。
【００９９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１００】
２…交流電力系統、  ３、４…直流送電線、  ６…変圧器、  １０…電力変換装置、  １２、１２ａ…主回路部、  １４…制御回路、  ２０ａ、２０ｂ…直流端子、  ２１ａ〜２１ｃ…第１〜第３交流端子、  ２２ａ〜２２ｆ…第１〜第６アーム部、  ２３ａ〜２３ｆ…バッファリアクトル、  ２４ａ〜２４ｆ…電流検出器、  ２５…電圧検出部、  ２５ａ…第１検出系統、  ２５ｂ…第２検出系統、  ２６…信号線、  ４０ａ、４０ｂ…第１、第２接続端子、  ４１〜４４…第１〜第４スイッチング素子、  ４５…電荷蓄積素子、  ４６…ドライバ回路、  ６１、７１…主電圧検出器、  ６２、７２…補助電圧検出器、  ６３〜６５、７３〜７５…Ａ／Ｄ変換器、  ８０…制御信号生成部、  ８２…零相検出部、  ８２ａ…第１検出部、  ８２ｂ…第２検出部、  ８３、８６…加算器、  ８４、８７…絶対値検出回路、  ８５、８８…レベル検出回路、  １１１〜１１３…３巻線トランス、  １１１ａ、１１２ａ、１１３ａ…一次巻線、  １１１ｂ、１１２ｂ、１１３ｂ…二次巻線、  １１１ｃ、１１２ｃ、１１３ｃ…三次巻線、  ＣＥＬ…変換器
【図１】
2018007516.tif 000003
【図２】
2018007516.tif 000004
【図３】
2018007516.tif 000005
【図４】
2018007516.tif 000006
【図５】
2018007516.tif 000007
【図６】
2018007516.tif 000008
【図７】
2018007516.tif 000009
【図８】
2018007516.tif 000010